【手続補正書】
【提出日】平成18年1月26日(2006.1.26)
【手続補正１】
【補正対象書類名】明細書
【補正対象項目名】特許請求の範囲
【補正方法】変更
【補正の内容】
【特許請求の範囲】
【請求項１】  マルチキャリア方式のＴＤＭＡにより行う端末装置との通信を行う基地局であって、
アップリンクのスロット毎に各サブキャリアの受信特性を算出するサブキャリア受信特性算出手段と、
該サブキャリア受信特性算出手段により算出されたスロット毎の各サブキャリアの受信特性がある第１閾値を上回るサブキャリアを、送信可能サブキャリアと判定する送信可能サブキャリア判定手段を有することを特徴とする基地局。
【請求項２】  さらに、スロット毎の送信可能サブキャリアの数を算出するスロット当たり送信可能サブキャリア数算出手段と、
該スロット毎のスロット当たり送信可能サブキャリア数が第２閾値を下回るスロット（劣化スロット）を使用している通信端末に対して、アップリンクスロットの再割り当てを行うスロット再割り当て手段を備えたことを特徴とする請求項１に記載の基地局。
【請求項３】  前記受信特性は、受信搬送波電力対干渉及び雑音電力比または受信搬送波電力対雑音電力比、受信搬送波電力対干渉電力比であることを特徴とする請求項１又は２に記載の基地局。
【請求項４】  前記スロット再割り当ては、送信可能サブキャリア数が前記第２の閾値以上の空きスロットを再割り当てスロット候補として検出し、前フレームの劣化スロット使用端末が現フレームにおいても劣化スロットを使用する場合に、前記再割り当てスロット候補中から送信可能サブキャリア数が前記第２の閾値以上の空きスロットを前記劣化スロット使用端末に対する再割り当てスロットとして判定するスロット再割り当て判定手段に
より行われることを特徴とする請求項２又は３に記載の基地局。
【請求項５】  前記スロット再割り当て判定手段は、前記再割り当てスロット候補中で、送信可能サブキャリア数が最多のスロットを、劣化スロット使用端末に対する再割り当てスロットとして選択することを特徴とする請求項４に記載の基地局。
【請求項６】  前記スロット再割り当て判定手段は、前記再割り当てスロット候補が無い場合に、空きスロットと前記劣化スロット使用端末が使用中のスロットの中で、送信可能サブキャリア数が最多のスロットを、劣化スロット使用端末に対する再割り当てスロットとして選択することを特徴とする請求項４に記載の基地局。
【請求項７】  前記スロット再割り当て判定手段は、前記再割り当てスロット候補が無い場合に、劣化スロット使用端末に、使用中の劣化スロットに加え他の複数の空きスロットの割り当てを行うことを特徴とする請求項４に記載の基地局。
【請求項８】  マルチキャリア方式のＴＤＭＡにより行う端末装置との通信を行う基地局による通信方法であって、
アップリンクのスロット毎に各サブキャリアの受信特性を算出するサブキャリア受信特性算出ステップと、
該サブキャリア受信特性算出ステップにより算出されたスロット毎の各サブキャリアの受信特性がある第１閾値を上回るサブキャリアを、送信可能サブキャリアと判定する送信可能サブキャリア判定ステップと
を有することを特徴とする基地局の通信方法。
【請求項９】  さらに、スロット毎の送信可能サブキャリアの数を算出するスロット当たり送信可能サブキャリア数算出ステップと、
該スロット毎のスロット当たり送信可能サブキャリア数が第２閾値を下回る劣化スロットを使用している通信端末に対して、アップリンクスロットの再割り当てを行うアップリンクスロット再割り当てステップと
を有することを特徴とする請求項８に記載の基地局の通信方法。
【請求項１０】  マルチキャリア方式のＴＤＭＡにより行う基地局との通信を行う端末装置であって、
ダウンリンクのスロット毎に各サブキャリアの受信特性を算出するサブキャリア受信特性算出手段と、
該サブキャリア受信特性算出手段により算出されたスロット毎の各サブキャリアの受信特性がある第１閾値を上回るサブキャリアを、送信可能サブキャリアと判定する送信可能サブキャリア判定手段と、
スロット毎の送信可能サブキャリアの数を算出するスロット当たり送信可能サブキャリア数算出手段と、
前記ダウンリンクのスロット毎の送信可能なサブキャリア数を基地局に報知するサブキャリア数報知手段と
を有することを特徴とする端末装置。
【請求項１１】  さらに、前記送信可能サブキャリア数が前記第２閾値以上の空きスロットを、自端末に対する再割り当てスロット候補として検出し、
前フレームに続き現フレームも劣化スロットを使用する場合、前記再割り当てスロット候補の中から、送信可能サブキャリア数が前記第２閾値以上の空きスロットを、前記劣化スロット使用端末に対するダウンリンクの再割り当てスロットとすることを基地局に要求する手段を有することを特徴とする請求項１０に記載の端末装置。
【請求項１２】  請求項１０に記載の通信端末から送られた通信端末毎の各スロットのダウンリンクスロット当たり送信可能サブキャリア数が第２閾値を下回る劣化スロットを使用している通信端末に対して、ダウンリンクスロットの再割り当てを行うスロット再割り当て判定手段を備えたことを特徴とする基地局。
【請求項１３】  前記再割り当てスロット候補が無かった場合、空きスロットと前記劣化スロット使用端末が使用中のスロットの中で、送信可能サブキャリア数が最多のスロットを、劣化スロット使用端末に対する再割り当てスロットとして選択するスロット再割り当て判定手段を有することを特徴とする請求項１２に記載の基地局。
【請求項１４】  前記再割り当てスロット候補の中で、送信可能サブキャリア数が最多のスロットを、劣化スロット使用端末に対する再割り当てスロットとして選択することを特徴とするスロット再割り当て判定手段を有する請求項１２に記載の基地局。
【請求項１５】  前記再割り当てスロット候補が無かった場合に、劣化スロット使用端末に、使用中の劣化スロットに加え他の複数の空きスロットの割り当てを行うことを特徴とするスロット再割り当て判定手段を有する請求項１２に記載の基地局。
【請求項１６】  マルチキャリア方式のＴＤＭＡにより行う基地局との通信を行う端末装置における通信方法であって、
ダウンリンクのスロット毎に各サブキャリアの受信特性を算出するサブキャリア受信特性算出ステップと、
該サブキャリア受信特性算出手段により算出されたスロット毎の各サブキャリアの受信特性がある第１閾値を上回るサブキャリアを、送信可能サブキャリアと判定する送信可能サブキャリア判定ステップと、
スロット毎の送信可能サブキャリアの数を算出するスロット当たり送信可能サブキャリア数算出ステップと、
前記ダウンリンクのスロット毎の送信可能なサブキャリア数を基地局に報知するサブキャリア数報知ステップと
を有することを特徴とする通信方法。
【請求項１７】    マルチキャリア方式のＴＤＭＡにより行う基地局と端末装置との間における通信方法であって、
請求項１０に記載の端末装置から送られたそれぞれの端末装置毎の各スロットのダウンリンクスロット当たりの送信可能サブキャリア数と、前記第２閾値とを比較し、前記ダウンリンクスロット当たりの送信可能サブキャリア数が前記第２閾値を下回る劣化スロットを使用している通信端末に対して、スロットの再割当てを行うステップを含む通信方法。
【請求項１８】  前記劣化スロットを使用している端末装置にとって、前記送信可能サブキャリア数が、前記第２閾値以上の空きスロットを、前記劣化スロットを使用する端末装置に対する再割り当てスロット候補として検出する再割り当てスロット候補検出ステップと、前フレームの前記劣化スロットを使用する端末装置が、現フレームにおいても劣化スロットを使用する場合、前記再割り当てスロット候補の中から、送信可能サブキャリア数が第２閾値以上の空きスロットを、前記劣化スロットを使用する端末装置に対する再割り当てスロットとして選択する再割り当てスロット選択ステップと、を含むスロット再割り当てを行うことを特徴とする請求項１７に記載の通信方法。
【請求項１９】  さらに、前記再割り当てスロット候補の中で、送信可能サブキャリア数が最多のスロットを、劣化スロット使用端末に対する再割り当てスロットとして選択することを特徴とする請求項１７に記載の通信方法。
【請求項２０】  前記再割り当てスロット候補（送信可能サブキャリア数が第２閾値以上の空きスロット）が無かった場合に、空きスロットと前記劣化スロットを使用する端末装置が使用中のスロットの中で、送信可能サブキャリア数が最多のスロットを劣化スロット使用端末に対する再割り当てスロットとして選択することを特徴とする請求項１７に記載の通信方法。
【請求項２１】  前記再割り当てスロット候補（送信可能サブキャリア数が第２閾値以上の空きスロット）が無かった場合に、前記劣化スロットを使用する端末装置に、使用中の劣化スロットに加え他の複数の空きスロットの割り当てを行うことを特徴とする請求項１７に記載の通信方法。
【請求項２２】  マルチキャリア方式のＴＤＭＡにより通信を行う基地局又は端末装置を含む通信装置であって、
伝送に用いるサブキャリア数をスロット再割り当ての基準として用い、伝送に用いるサブキャリア数がある閾値を下回る場合にスロットの再割り当てを行う手段を有することを特徴とする通信装置。
【請求項２３】  全ての空きスロットにおいて、伝送に用いるサブキャリア数が閾値を下回る場合には、現在使用中のスロットに加え別の空きスロットを割り当てる手段を有することを特徴とする請求項２２に記載の通信装置。
【手続補正２】
【補正対象書類名】明細書
【補正対象項目名】０００８
【補正方法】変更
【補正の内容】
【０００８】
【発明が解決しようとする課題】
情報系列を多数のサブキャリアに分割して送信する技術を用いることにより、すなわち広帯域無線通信において問題となる周波数選択性フェージング環境下においても優れた伝送特性を有するマルチキャリア伝送方式を用いることにより、より一層効率の良い１セル繰り返しＴＤＭＡ通信システムの実現が期待できる。以下に、マルチキャリア伝送の概要と、１セル繰り返しＴＤＭＡ通信システムへの適用について説明する。
【手続補正３】
【補正対象書類名】明細書
【補正対象項目名】００２２
【補正方法】変更
【補正の内容】
【００２２】
次に、フレーム構成について説明する。図８は、本発明の一実施の形態によるフレーム構成例を示す図である。図８は、複信方式としてＴＤＤ(Time Division Duplex)方式を対象としているが、ＦＤＤ(Frequency Division Duplex)方式を対象とした構成としてもよい(図９参照)。図８に示すように、本実施の形態によるフレームは、ブロードキャストスロット(スロット割り当て情報)と、ダウンリンク、アップリンクから構成されており、図８中のアップリンクにおける各スロットは、先の図５、ダウンリンクにおける各スロットは図６に示す構成となっている。図８中のブロードキャストスロットは、それに続くダウンリンク及びアップリンクの通信において、どのユーザがどのスロットを使用するかという情報をセル内に報知するためのブロードキャスト情報である。このスロット割り当て情報を端末が受信することにより、端末は自己に割り当てられたスロットを知ることが可能であり、割り当てられたスロットにおいて上述のサブキャリア選択手順等を経てユーザデータの送受信を行う。